(57)【要約】  バッテリ入力は、ローカルデバイスの第１バッテリから電力放電を受電する。制御可能な充電回路は、電力放電、第１バッテリの充電状態、１以上の外部デバイスの少なくとも１つのための１以上の第２バッテリの充電状態及びローカルデバイスと１以上の外部デバイスの少なくとも１つとに関連するロードバランシングプランの１以上に基づき充電信号を生成する。充電出力は、充電信号を１以上の外部デバイスの少なくとも１つに送信する。
2015532087.tif 000002
【特許請求の範囲】
【請求項１】
電力信号を受信するための入力充電ポートと、
前記電力信号から第１充電信号を生成するよう構成されるバッテリ充電器と、
前記充電信号を受信し、複数の電子コンポーネントに電力供給するバッテリと、
前記バッテリから電力放電を受電するためのバッテリ入力、前記電力放電から第２充電信号を生成する制御可能な電力回路、前記第２充電信号を１以上の外部デバイスに送るための充電出力、前記バッテリのバッテリ状態を決定するバッテリ測定モジュール、前記１以上の外部デバイスの少なくとも１つと電力制御情報を通信するための通信ポート、及び前記バッテリ状態と前記電力制御情報とを利用して前記制御可能な電力回路を制御するコントローラを有する電力共有コントローラと、
を有するシステム。
【請求項２】
前記充電出力は、外部電力コネクタ、ＵＳＢコネクタ、誘導電力充電器及びＷＲＥＬ（Ｗｉｒｅｌｅｓｓ  Ｒｅｓｏｎａｎｔ  Ｅｎｅｒｇｙ  Ｌｉｎｋ）の１以上を含む、請求項１記載のシステム。
【請求項３】
前記充電出力は、前記充電信号をＤＣ−ＤＣコンバータに送る、請求項１記載のシステム。
【請求項４】
前記コントローラは、前記１以上の外部デバイスの少なくとも１つを認証する、請求項１記載のシステム。
【請求項５】
前記コントローラは、前記１以上の外部デバイスの少なくとも２つの間でロードをバランスさせる、請求項１記載のシステム。
【請求項６】
前記コントローラは、少なくとも１つのロードバランシングプロファイルを利用する、請求項８記載のシステム。
【請求項７】
前記充電出力と前記通信ポートとは一体化される、請求項１記載のシステム。
【請求項８】
前記電力信号はＡＣ電源から導出され、
前記コントローラは、少なくとも１つのロードバランシングプロファイルを利用して、前記１以上の外部デバイスの少なくとも２つの間でロードをバランスさせる、請求項１乃至７何れか一項記載のシステム。
【請求項９】
ローカルデバイスの第１バッテリから電力放電を受電するためのバッテリ入力と、
前記電力放電、前記第１バッテリの充電状態、１以上の外部デバイスの少なくとも１つのための１以上の第２バッテリの充電状態、及び前記ローカルデバイスと前記１以上の外部デバイスの少なくとも１つとに関連するロードバランシングプランに基づき充電信号を生成する制御可能な充電回路と、
前記充電信号を前記１以上の外部デバイスの少なくとも１つに送るための充電出力と、
を有する装置。
【請求項１０】
前記電力放電、前記第１バッテリの充電状態、前記１以上の第２バッテリの少なくとも１つの充電状態、及び前記ローカルデバイスと前記１以上の外部デバイスの少なくとも１つとに関連するロードバランシングプランに基づき前記制御可能な充電回路を制御するコントローラを更に有する、請求項９記載の装置。
【請求項１１】
前記１以上の外部デバイスの少なくとも１つと電力制御情報を通信するための通信ポートを更に有し、
前記電力制御情報は、前記第１バッテリの充電状態、前記１以上の第２バッテリの充電状態及び前記ロードバランシングプランの１以上を含む、請求項９記載の装置。
【請求項１２】
前記第１バッテリのバッテリ状態を決定するバッテリ測定モジュールを更に有する、請求項９記載の装置。
【請求項１３】
前記充電出力は、外部電力コネクタ、ＵＳＢコネクタ、誘導電力充電器、ＷＲＥＬ及びＤＣ−ＤＣコンバータの１以上を有する、請求項９記載の装置。
【請求項１４】
前記コントローラは更に、前記１以上の外部デバイスの少なくとも１つを認証する、請求項１０記載の装置。
【請求項１５】
前記コントローラは、前記１以上の外部デバイスの少なくとも２つの間のロードをバランスさせる、請求項１０記載の装置。
【請求項１６】
前記コントローラは、少なくとも１つのロードバランシングプロファイルを利用する、請求項１０記載の装置。
【請求項１７】
前記充電出力、前記バッテリ入力及び通信ポートの１以上は一体化される、請求項９乃至１６何れか一項記載の装置。
【請求項１８】
ローカルデバイスの第１バッテリから電力放出を受電するステップと、
前記電力放電、前記第１バッテリの充電状態、外部デバイスの第２バッテリの充電状態、及び前記ローカルデバイスと外部デバイスとに関連するロードバランシングプランに基づき制御可能な充電信号を生成するステップと、
前記充電信号を前記外部デバイスに送るステップと、
を有する方法。
【請求項１９】
前記外部デバイスと電力制御情報を共有するステップを更に有し、
前記電力制御情報は、前記第１バッテリの充電状態、前記第２バッテリの充電状態及び前記ロードバランシングプランの１以上を含む、請求項１８記載の方法。
【請求項２０】
前記電力制御情報は、定期的に前記外部デバイスと通信される、請求項１９記載の方法。
【請求項２１】
前記充電信号は、外部電力コネクタ、ＵＳＢコネクタ、誘導電力充電器、ＷＲＥＬ及びＤＣ−ＤＣコンバータの１以上を介し送信される、請求項１８記載の方法。
【請求項２２】
前記外部デバイスを認証するステップを更に有する、請求項１８記載の方法。
【請求項２３】
複数の制御可能な充電信号を生成するステップと、
前記ロードバランシングプランに従って前記複数の充電信号を対応する複数の外部デバイスに送るステップと、
を更に有する、請求項１８乃至２２何れか一項記載の方法。
【請求項２４】
前記外部デバイスから充電信号を受信するステップと、
前記ロードバランシングプランに従って前記外部デバイスから前記第１バッテリに前記充電信号を送るステップと、
を更に有する、請求項１８乃至２２何れか一項記載の方法。
【請求項２５】
プロセッサにより実行される場合、
ローカルデバイスの第１バッテリから電力放出を受電するステップと、
前記電力放電、前記第１バッテリの充電状態、外部デバイスの第２バッテリの充電状態、及び前記ローカルデバイスと外部デバイスとに関連するロードバランシングプランに基づき制御可能な充電信号を生成するステップと、
前記充電信号を前記外部デバイスに送るステップと、
前記ローカルデバイスに実行させる命令セットを有する非一時的なコンピュータ可読媒体。
【発明の詳細な説明】
【背景技術】
【０００１】
モバイルデバイスがより普及し続けるに従って、電子モバイルデバイスのユーザは、複数の電子モバイルデバイスを同時に携行するかもしれない。このようなデバイスの具体例は、限定することなく、スマートフォン、ラップトップ、電子タブレット、ウルトラブック、ｅＢｏｏｋリーダ及び／又は同様のものを含む。例えば、ある人々はある時に複数の電話を携行し、１つは個人的な利用のため、１つは仕事用のものなどである。これらのデバイスのそれぞれは、典型的には、各々が異なる放電時間を有する各自のバッテリを有する。人は、自分のデバイスの１つ又は２つが完全に又はほぼ完全に放電したバッテリを有し、他のデバイスはほぼ完全に充電されたバッテリを有する状況に頻繁に遭遇するかもしれない。今日、多数のデバイスが充電器／変圧器によって外部のウォールソケット電源を用いて充電される。いくつかのデバイスのための他のマスタ／スレーブ方法は、ＵＳＢ（Ｕｎｉｖｅｒｓａｌ  Ｓｅｒｉａｌ  Ｂｕｓ）コネクションなどのハードウェアコネクションを介し他の動力デバイスから充電することである。これらの手段は特定の状況の下では適切であるかもしれないが、改良のための多くの余地が残っている。
【図面の簡単な説明】
【０００２】
本発明の実施例の各種効果は、以下の明細書及び添付した請求項を読み、また、以下の図面を参照することによって当業者に明らかになる。
【図１】図１は、実施例による電力共有コントローラの具体例のブロック図である。
【図２】図２は、実施例による電力共有コントローラの具体例のブロック図である。
【図３】図３は、実施例による電力共有コントローラの具体例のブロック図である。
【図４】図４は、実施例による電力共有コントローラを利用した複数のデバイスの具体例のシステム図である。
【図５】図５は、実施例による電力共有コントローラを利用した複数のデバイスの具体例のシステム図である。
【図６】図６は、実施例による電力共有コントローラを利用した複数のデバイスの具体例のシステム図である。
【図７】図７は、実施例による電力共有コントローラを利用した複数のデバイスの具体例のシステム図である。
【図８】図８は、実施例による電力共有コントローラを実行する方法の具体例のフローチャートである。
【図９】図９は、実施例による電力共有コントローラを実行する方法の具体例のフローチャートである。
【図１０】図１０は、実施例による電力共有コントローラを実行する方法の具体例のフローチャートである。
【図１１】図１１は、実施例による電力共有コントローラを実行する方法の具体例のフローチャートである。
【図１２】図１２は、実施例によるプロセッサの具体例のブロック図である。
【図１３】図１３は、実施例によるシステムの具体例のブロック図である。
【発明を実施するための形態】
【０００３】
本発明の実施例は、モバイルデバイスの間の電力の自動的なロードバランシングを実行する。
【０００４】
図１を参照して、ローカルデバイス１９０において作動する電力共有コントローラ１００のブロック図は、本発明の実施例の態様による示される。バッテリ入力１２０は、ローカルデバイス１９０の第１バッテリ１１０から電力放電を受けるよう構成される。ローカルデバイス１９０は、携帯電話、タブレット計算デバイス、音楽プレーヤー、ｅＲｅａｄｅｒなどのモバイルデバイスであってもよい。バッテリ１１０は、格納されている化学エネルギーを電気エネルギーに変換する１以上の電気化学セルを含むデバイスであってもよい。例えば、バッテリは、充電可能なバッテリと共に使い捨てバッテリを含み、ここで、何れのタイプのバッテリも電力放電１２４のソースとして利用されてもよい。充電可能なバッテリは、充電信号を受信するよう構成される。本実施例において利用可能なバッテリの具体例は、亜鉛炭素電池、アルカリ電池、鉛酸バッテリ、ニッケルカドニウム（ＮｉＣｄ）、ニッケル亜鉛（ＮｉＺｎ）、ニッケル水素（ＮｉＭＨ）及びリチウムイオン（Ｌｉ−ｉｏｎ）セルを含む。英国ロンドンのＭｏｉｘａ  Ｅｎｅｒｇｙ  Ｌｔｄ．によって製造されているＵＳＢＣＥＬＬなどのバッテリは、ＵＳＢコネクタを介したセルの充電を可能にする電子機器を有する。バッテリは、過剰充電及び充電不足によるダメージを回避するため、充電状態モニタ及びバッテリ保護回路と共に作動されてもよい。多くの異なるタイプのバッテリが、電力放電１２４を生成し、及び／又は充電信号を受信する限り、本実施例において利用されてもよいことが想定される。
【０００５】
制御可能な充電回路１５０は、電力充電１２４、第１バッテリ１１０のバッテリ状態１３５、１以上の外部デバイス１８１〜１８９の少なくとも１つの１以上の第２バッテリの充電状態、及びロードバランシングプラン１４１に基づき充電信号１５５を生成するよう構成される。制御可能な充電回路１５０は、アナログ充電回路、デジタル充電回路及び／又はコンビネーションアナログ／デジタル充電回路であってもよい。
【０００６】
充電回路１５０は、異なるレートにより充電可能である。例えば、充電回路１５０は相対的に低いレートにより充電してもよい。典型的な低速レート充電器は細流充電器である。他方、急速充電回路はより高いレートにより充電可能である。急速充電回路は、端子電圧、温度などの変化などのバッテリ情報を用いて、危険な過充電やオーバヒートの発生前に充電を停止すべき時を決定する。
【０００７】
ロードバランシングプラン１４１は、ローカルデバイス１９０及び１以上の外部デバイス１８１〜１８９の少なくとも１つと関連付けされてもよい。各種実施例の一部によると、ロードバランシングプラン１４１は、バッテリ電力がローカルデバイス１９０と外部デバイス１８１〜１８９との間でどのように分配されるべきかを規定するルールを有してもよい。ロードバランシングプラン１４１は、エンドユーザが相互接続されたモバイルデバイスの有用性を増大させることを可能にするよう構成される。例えば、ロードバランシングプラン１４１は、他のモバイルデバイスが充電を受ける前にあるモバイルデバイスが特定のレベルまで充電されるべきかを述べるプライオリティ設定を有してもよい。当該ルールは、コンテクストに固有のものであってもよい。例えば、ユーザが移動中である場合、携帯電話はラップトップコンピュータよりもプライオリティを得ているかもしれない。ユーザが自分のオフィスにいる場合、ラップトップは携帯電話によりプライオリティを得ているかもしれない。ある状況下では、当該ルールは、１つのデバイスが特定の状況において必要とされる唯一のデバイスである場合、利用可能な全ての電力が当該１つのデバイスに伝送されるべきかを規定するものであってもよい。他のルールは、全てのデバイスの間に電力を均等にバランスさせるなど、より汎用的なものであってもよい。更なる他のルールは、モバイルデバイスに対して分配されるべき各モバイルデバイスの目標充電及び／又は充電レートを規定してもよい。
【０００８】
ロードバランシングプラン１４１は、単一のプラン又は１以上のロードバランシングプロファイルの集まりであってもよい。例えば、ローカルデバイス１９０又は外部デバイス１８１〜１８９の１以上は、個別のロードバランシングプロファイルを有してもよい。さらに、ユーザは、ロードバランシングプロファイルを有してもよい。これらのプロファイルは、ロードバランシングプラン１４１を生成するよう組み合わされてもよい。いくつかのケースでは、ユーザのロードバランシングプロファイルは、個々のロードバランシングプロファイルを合成及び修正するのに利用されてもよい。一例となるデバイスに固有のロードバランシングプロファイルは、特定の充電レート、放電プラン、最小充電、最大充電などを指定してもよい。ユーザのロードバランシングプロファイルは、デバイス即応性レベル、時間的デバイス要求プラン、これらの組み合わせなどのプライオリティ順序を指定してもよい。
【０００９】
充電状態１３５は、バッテリ測定モジュール１３０によって決定されてもよい。充電状態１３５は、バッテリの有無、バッテリ温度、バッテリ充電レート、バッテリ放電レート、バッテリヘルス、バッテリ電圧、バッテリ年齢、これらの組み合わせなどの情報を含むものであってもよい。バッテリ測定モジュール１３０は、電力放電１２４からサンプリングされたバッテリ測定信号１２２から少なくとも部分的に充電状態１３５を決定してもよい。バッテリ測定モジュール１３０は、電圧を測定するよう構成される高インピーダンス入力を有してもよい。バッテリ測定モジュール１３０は電流測定機能（電力放電を固定抵抗に通過させ、抵抗電圧を測定するなど）を有してもよい。いくつかの実施例では、バッテリ状態情報は、バッテリ１１０及び／又は外部回路からバッテリ測定モジュール１３０及び／又はコントローラ１４０への電力放電信号１２４により通信されてもよい。
【００１０】
各種実施例の一部では、コントローラ１４０は、電力放電１２４、第１バッテリ１３５の充電状態、外部デバイス１８１〜１８９から１以上の第２バッテリの少なくとも１つの充電状態、ロードバランシングプラン１４１、これらの組み合わせなどのソースから得られる情報に基づき、１以上の外部デバイスの少なくとも２つの間のロードをバランスさせるよう制御可能な電力回路１５０を制御してもよい。当該制御は、制御信号１４５の形態であってもよい。制御信号１４５は、制御可能な充電回路１５０を調整するよう構成されてもよい。例えば、制御可能な充電回路１５０は、デジタル制御信号及び／又はアナログ制御信号を受信するよう構成されてもよい。
【００１１】
充電出力ポート１７０は、充電信号１５５を１以上の外部デバイス１８１〜１８９の少なくとも１つに送る。当該送信は、配線及び／又はスイッチング回路の利用を含む多数の方法により実現されてもよい。スイッチング回路は、特定の充電信号１５５を特定の外部デバイス１８１〜１８９に提供するよう構成されてもよい。スイッチング回路は、例えば、制御可能な充電回路１５０、充電出力ポート１７０及び／又は外部デバイス１８１〜１８９の１以上などを介し実現されてもよい。
【００１２】
充電出力ポート１７０は、充電信号１５５を１以上の外部デバイス１８１〜１８９の少なくとも１つに送るため、１以上のデバイスを利用してもよい。これらのデバイスの具体例は、外部電力コネクタ、ＵＳＢコネクタ、電力パッド充電器、ＷＲＥＬ（Ｗｉｒｅｌｅｓｓ  Ｒｅｓｏｎａｎｔ  Ｅｎｅｒｇｙ  Ｌｉｎｋ）、ＤＣ−ＤＣコンバータ、これらの組み合わせなどを含む。
【００１３】
各種実施例の一部では、充電出力ポート１７０は、ＤＣ電力コネクタを用いて、電力を外部デバイス１８１〜１８９に伝送してもよい。ＤＣコネクタは、直流（ＤＣ）電力を供給可能な電気コネクタである。任意数のＤＣコネクタタイプが利用されてもよい。ＤＣコネクタの大きさ及び構成は、ローカルデバイス１９０と外部デバイス１８１〜１８９との間の互換性のないソース及びロードの偶発的な相互接続を防ぐよう選択されてもよい。コネクタの具体的なタイプは、同軸（バレル）コネクタ、自動車シガーライターコネクタ、バッテリパックコネクタ、スナップロックコネクタ、モレックスコネクタ、ＳＡＥ（Ｓｏｃｉｅｔｙ  ｏｆ  Ａｕｔｏｍｏｔｉｖｅ  Ｅｎｇｉｎｅｅｒｓ）コネクタ、これらの組み合わせなどを含む。
【００１４】
充電出力ポート１７０は、ＵＳＢコネクタを利用してもよい。ＵＳＢコネクタは、コンピュータと電子デバイスとの間の接続、通信及び電力供給のためバスにおいて利用されるケーブル、コネクタ及び通信プロトコルを定義する工業ＵＳＢ規格の一部である。ＵＳＢは、スマートフォン、ＰＤＡ、計算タブレット、ｅＲｅａｄｅｒなどの多数のモバイルデバイスにおいて一般的になってきた。
【００１５】
ＵＳＢ  １．ｘ及び２．０仕様は、接続されたＵＳＢデバイスが電力を取り出す単一の配線に５Ｖの供給を提供する。当該仕様は、正のバス電力線と負のバス電力線との間で５．２５以下であって４．７５Ｖ以上（５Ｖ±５％）を提供する。ＵＳＢ３．０について、低電力ハブポートにより供給される電圧は４．４５〜５．２５Ｖである。単位ロードは、ＵＳＢ２．０において１００ｍＡとして定義され、ＵＳＢ３．０において１５０ｍＡとして定義される。デバイスは、ＵＳＢ２．０ではポートから５単位ロード（５００ｍＡ）まで取り出し、ＵＳＢ３．０では６単位ロード（９００ｍＡ）まで取り出すことができる。ＵＳＢにより用いられる２つのタイプのデバイスは、低電力デバイス及び高電力デバイスを含む。低電力デバイスは、ＵＳＢ２．０では４．４Ｖの最小動作電圧によって、ＵＳＢ３．０では４Ｖの最小動作電圧によって高々１単位ロードを取り出すことが可能である。高電力デバイスは、規格により許可される単位ロードの高々最小数を取り出すことが可能である。デバイスは、初期的には低電力により機能するが、高電力を要求してもよい。
【００１６】
ＵＳＢバッテリ充電仕様は、ＵＳＢ充電ポートを規定する。充電ポートは、デジタルネゴシエーションなく０．５Ａ以上の電流を供給してもよい。ポータブルデバイスが定格電流を超えて取り出すことを試みる場合、充電ポートは、５Ｖにおいて５００ｍＡまで、３．６Ｖ以上において定格電流まで供給し、それの出力電圧を低下させる。充電ポートは、ロードが高すぎる場合にはシャットダウンしてもよい。充電ポートは、２つのフレーバ（ｆｌａｖｏｒ）において、すなわち、データ伝送をサポートする充電ダウンストリームポート（ＣＤＰ）と、データ伝送をサポートしない専用充電ポート（ＤＣＰ）とにおいてあってもよい。ポータブルデバイスは、Ｄ＋及びＤ−のピンが接続される方法からＵＳＢポートのタイプを認識してもよい。例えば、専用充電ポートでは、Ｄ＋及びＤ−ピンはショートされてもよい。充電ダウンストリームポートでは、シングラウンド配線を通過した電流は、高速データ信号と干渉する可能性がある。従って、電流抽出は、高速データ伝送中は約９００ｍＡに制限されてもよい。専用充電ポートは、０．５〜１．５Ａの定格電流を有してもよい。コネクタが電流を扱うことが可能である限り（標準的なＵＳＢ２．０Ａコネクタは１．５Ａに定格化される）、充電ダウンストリームポートの定格電流に対する上限はなくてもよい。ＵＳＢ充電ポートは、充電ポートと通信ポートとを１つのポートに組み合わせることによって、同時の充電及び同期をサポートするようにしてもよい。
【００１７】
ＵＳＢポートはまた、モバイルデバイスがスイッチオフされるときでさえ、電子デバイスを充電するためのスリープ・アンド・チャージＵＳＢポートとして構成されてもよい。通常、モバイルデバイスが電源オフされると、ＵＳＢポートは電源ダウンされる。これは、電話及び他のデバイスが電源オンされていない場合、充電可能になるのを防ぐかもしれない。スリープ・アンド・チャージＵＳＢポートは、モバイルデバイスがオフであるときでさえ電力供給されたままであってもよい。ＵＳＢコネクタは、標準的なＵＳＢコネクタ、ミニＵＳＢコネクタ、マイクロＵＳＢコネクタ、カスタムＵＳＢコネクタなどであってもよい。マイクロＵＳＢインタフェースは、携帯電話の充電器に通常見つけられる。多くの携帯電話は、バッテリ充電のための電力ポートとしてＵＳＢポートを利用することが可能である。
【００１８】
各種実施例の一部では、充電出力ポート１７０は、誘導電力充電器は、磁気誘導を用いて２つのデバイスの間でエネルギーを伝送する。誘導電力充電器は、各種電力要求によって複数のデバイスを充電するよう構成されてもよい。一部の実施例では、モバイルデバイスは、当該モバイルデバイスに接続される外部誘導デバイスを用いて、互いに局所的に近接するデバイス間で電荷を送受電してもよい。一部の誘電電力充電器は、モバイルデバイス又はモバイルデバイスのバッテリに直接組み込まれてもよい。各種実施例の一部では、モバイルデバイスは、変調技術を用いて誘導信号を介し互いに無線通信してもよい。これらの通信は、デバイス認証だけでなく電力制御情報１６５を含むものであってもよい。
【００１９】
各種実施例の一部では、充電出力ポート１７０は、ＷＲＥＬ（Ｗｉｒｅｌｅｓｓ  Ｒｅｓｏｎａｎｔ  Ｅｎｅｒｇｙ  Ｌｉｎｋ）を利用してもよい。ＷＲＥＬは、カリフォルニア州サンタクララのＩｎｔｅｌ  Ｃｏｒｐ．によって開発された無線共振エネルギー伝達技術の一形態である。ＷＲＥＬは、結合電磁共振器に依拠する。受信側の共振器の固有振動数では、エネルギーは効率的に吸収される。電源では、電力は送信側の共振器において磁界に置かれる。受信側の共振器は磁界からエネルギーを効率的に吸収するよう調整される一方、近くのオブジェクトはそうでない。ＷＲＥＬは、各種電力要求により複数のデバイスを充電するよう構成される。一部の実施例では、モバイルデバイスは、当該モバイルデバイスに接続される外部のＷＲＥＬデバイスを用いて、デバイス間で電荷を送受電してもよい。あるＷＲＥＬ充電器は、モバイルデバイス又はモバイルデバイスのバッテリに直接組み込まれてもよい。各種実施例の一部では、モバイルデバイスは、変調技術を用いて磁界を介し互いに通信してもよい。これらの通信は、デバイス認証だけでなく電力制御情報１６５を含むものであってもよい。
【００２０】
各種実施例の一部では、充電出力ポート１７０はＤＣ−ＤＣコンバータを利用してもよい。更なる他の実施例では、ＤＣ−ＤＣコンバータは、充電出力ポート１７０の外部において利用されてもよい。ＤＣ−ＤＣコンバータは、ある電圧レベルから他の電圧レベルに直流（ＤＣ）のソースを変換する電子回路である。一部のモバイルデバイスは異なる電圧により動作するかもしれないため、ＤＣ−ＤＣコンバータは、モバイルデバイス間の互換性を開発するため利用されてもよい。あるＤＣ−ＤＣコンバータは、入力エネルギーを一時的に格納し、その後に異なる電圧により当該エネルギーを出力にリリースすることによって、あるＤＣ電圧レベルを他のＤＣ電圧レベルに変換するスイッチモードコンバータである。第３タイプのＤＣ−ＤＣコンバータは、充電電圧のデューティサイクルを調整することによって、エネルギーを定期的にインダクタ又は変換器の磁界に格納及び放出する磁気コンバータである。このタイプのコンバータは、入力電流及び出力電流を制御するか、又は一定の電力を維持するのに適用されてもよいが、出力電圧を制御するのに適用されてもよい。他のタイプのＤＣ−ＤＣコンバータは、容量型及び電気機械コンバータを含む。
【００２１】
電力共有コントローラ１００は、外部デバイス１８１〜１８９の１以上の少なくとも１つと電力制御情報１６５を通信するための通信ポート１６０を有してもよい。電力制御情報１６５は、コントローラ１４０が接続されたモバイルデバイス間で電力共有をバランスさせるのに利用可能な情報を含むものであってもよい。電力制御情報１６５の具体例は、第１バッテリの充電状態、１以上の第２バッテリの充電状態及び／又はロードバランシングプラン１４１の１以上を含む。一実施例では、通信ポートは一方向であってもよく、この場合、電力制御情報１６５は、外部デバイス１８１〜１８９などのコントローラ１４０の外部にある外部ソースからの情報を有してもよい。他の実施例では、通信ポートは双方向又は多方向であってもよく、この場合、電力制御情報１６５はローカルデバイス及び外部デバイスからの情報を有してもよい。
【００２２】
各種実施例の一部では、システムは、デスクトップ充電コンフィギュレーションなどの固定充電環境をサポートするよう構成されてもよい。このような構成では、システムは、ＡＣ電源などのソースからそれの電力信号を導出してもよい。あるいは、電力信号は、無停電電源などのバッテリシステムから電力信号を導出してもよい。このとき、システムは、デスクトップ上の複数のデバイスを充電してもよい。コントローラは、少なくとも１つのロードバランシングプロファイルを利用して、上述されるように、充電中の外部デバイスの間のロードをバランスさせてもよい。
【００２３】
各種実施例の一部によると、バッテリ入力ポート１２０、通信ポート１６０及び充電出力ポート１７０の組み合わせが組み合わされてもよい。本開示において説明されるように、通信は充電信号及び／又は電力放電信号１２４に対して実行されてもよいことがある。例えば、図２は、通信及び充電機能が通信／充電インタフェース２８０に一体化される電力共有コントローラ２００を示す。
【００２４】
各種実施例の一部では、コントローラは、１以上の外部デバイス１８１〜１８９の少なくとも１つを認証してもよい。認証は、データ又はエンティティの属性の真実性を確認する処理である。これらの実施例では、認証は、デバイスを特定し、当該デバイスが自らが何れであると報告するものであることを検証するのに利用されてもよい。１以上の外部デバイス１８１〜１８９のオーナ、企業ＩＴ部門などの主体は、デバイス１８１〜１８９の何れが互いに認証可能であるか決定してもよい。このとき、システムは、未承認のデバイスから未許可の電力の抽出を防ぐために認証を利用してもよい。認証は、識別のための１以上のファクタを利用してもよい。ファクタの具体例は、許可されたデバイスが知っている何か、有している何か及び／又はである何かを含む。各認証ファクタは、バッテリロードバランシング処理において動作する許可が与えられる前に、デバイスの識別を認証又は検証するのに利用されるある範囲のエレメントをカバーしてもよい。本実施例では、モバイルデバイスは、メッセージがあるモバイルデバイスから到着したことを暗号的に保証するため、公開鍵インフラストラクチャを利用してもよい。これは、公開鍵及び／又は秘密鍵を用いてデバイスに互いの電子署名をわたさせることによって利用されてもよい。
【００２５】
図３は、電力共有コントローラ１００などを含む電子システム３９０のブロック図である。上述されるような電力共有コントローラ１００に加えて、本例によるシステムは、入力充電ポート３１０及び／又はバッテリ充電器３３０を有し、図示された電子システム３９０は、例えば、モバイルデバイスであってもよい。
【００２６】
入力充電ポート３１０は、電源から電力信号３２５を受信するよう構成される。電力信号３２５は、外部電源からのものであってもよい。外部電源は、電力アダプタ、外部バッテリ、発電機などを含むものであってもよい。一部の実施例では、外部バッテリは、モバイルデバイスなどの他の電子システムからのものであってもよい。
【００２７】
バッテリ充電器３３０は、必要な場合、電力信号をバッテリ１１０を充電するよう構成される充電信号３３５に変換してもよい。各種実施例の一部によると、バッテリ充電器３３０は、コントローラ１４０から発信されたバッテリ充電制御信号３４７によって制御されてもよい。バッテリ充電制御信号３４７は、システム３９０がどのようにして、及び／又は何れの時点で電力信号３２５を充電信号３３５に変換するか調整することを可能にするものであってもよい。更なる他の実施例では、バッテリ充電制御信号は、電力信号３３０を介しバッテリ充電器に通信される。一部の実施例では、バッテリ充電器３３０は、充電信号３３５として電力信号３２５をわたしてもよい。上記及び他の同様の構成は、電力共有コントローラ１００が電子システム３９０のバッテリバランシングを調整することを可能にするものであってもよい。
【００２８】
バッテリ１１０は、電子システム３９０に固有の電子コンポーネント３４０を作動させるよう構成されてもよい。例えば、電子コンポーネント３４０は、ディスプレイ、ＣＰＵ、メモリ、オーディオドライバなどを含むものであってもよい。
【００２９】
図４は、本発明の実施例の態様による電力共有コントローラ４１８，４２８及び４３８をそれぞれ利用する複数のデバイス４１０，４２０及び４３０のシステム図である。本実施例に示されるように、各電力共有コントローラ４１８，４２８及び４３８はそれぞれ、通信ポート４１２，４２２及び４３２及び充電ポート４１６，４２６及び４３６を有する。通信ポート４１２，４２２及び４３２はそれぞれ、通信ライン４１３，４２３及び４３３を介し相互接続される。各充電ポートはそれぞれ、充電ライン４１７，４２７及び４３７を介し相互接続される。一例となるＤＣ−ＤＣコンバータ４４０は、充電ポート４２６と４１６との間の電圧を充電ポート４３６により調整するため、充電ライン４３７と直列に示される。電力共有コントローラ４１８，４２８及び４３８は、電子システム４１０，４２０及び４３０の間でバッテリロードをバランスさせるため、互いに通信するよう構成される。
【００３０】
図５は、本発明の実施例の態様による電力共有コントローラ５１８，５２８及び５３８をそれぞれ利用する複数のデバイス５１０，５２０及び５３０のシステム図である。本実施例に示されるように、各電力共有コントローラ５１８，５２８及び５３８はそれぞれ、通信充電ライン５１３，５２３及び５３３を介し相互接続される一体化された通信充電ポート５１２，５２２及び５３２を有する。電力共有コントローラ５１８，５２８及び５３８は、電子システム５１０，５２０及び５３０の間でバッテリロードをバランスさせるように互いに通信するよう構成されてもよい。
【００３１】
図６は、本発明の実施例の態様による電力共有コントローラ６１８，６２８及び６３８をそれぞれ利用する複数のデバイス６１０，６２０及び６３０のシステム図である。本実施例に示されるように、各電力共有コントローラ６１８，６２８及び６３８はそれぞれ、無線通信ポート６１２，６２２及び６３２と充電ポート６１６，６２６及び６３６とを有する。無線通信ポート６１２，６２２及び６３２はそれぞれ、無線通信信号６１３，６２３及び６３３を介し相互接続されてもよい。各充電ポートはそれぞれ、充電ライン６１７，６２７及び６３７を介し相互接続されてもよい。電力共有コントローラ６１８，６２８及び６３８は、電子システム６１０，６２０及び６３０の間でバッテリロードをバランスさせるように互いに通信するよう構成されてもよい。
【００３２】
図７は、本発明の実施例の態様による電力共有コントローラ７１８，７２８及び７３８をそれぞれ利用する複数のデバイス７１０，７２０及び７３０のシステム図である。本実施例に示されるように、各電力共有コントローラ７１８，７２８及び７３８はそれぞれ、無線通信ポート７１２，７２２及び７３２と無線充電ポート７１６，７２６及び７３６とを有する。無線通信ポート７１２，７２２及び７３２はそれぞれ、無線通信信号７１３，７２３及び７３３を介し相互接続されてもよい。各無線充電ポートはそれぞれ、無線充電信号７１７，７２７及び７３７を介し相互接続されてもよい。電力共有コントローラ７１８，７２８及び７３８は、電子システム７１０，７２０及び７３０の間でバッテリロードをバランスさせるように互いに通信するよう構成されてもよい。
【００３３】
図８は、本発明の実施例による電力共有コントローラを作動させる方法を示す。処理ブロック８１０において、電力放電はローカルデバイスの第１バッテリから受電される。ローカルデバイスは、スマートフォン、タブレットコンピュータ、ラップトップ、オーディオプレーヤーなどのモバイルデバイスであってもよい。ローカルデバイスは、第１バッテリのモニタから充電状態を受信する。一部の実施例では、充電状態は、第１バッテリの電圧又は電流をモニタすることによって決定されてもよい。
【００３４】
ローカルデバイスは、当該ローカルデバイスの外部の他のモバイルデバイスと相互接続するよう構成されてもよい。外部デバイスは、バッテリ状態情報を共有するよう構成される。制御可能な充電信号は、ブロック８２０において、ローカルデバイスと外部デバイスとに関連する電力放電、第１バッテリの充電状態、外部デバイスのバッテリ充電状態、ロードバランシングプランなどに基づき生成してもよい。制御可能な充電信号は、ブロック８３０において、電力共有リンケージを介し１以上の外部デバイスに送ってもよい。
【００３５】
図９は、本発明の実施例による電力共有コントローラを作動させる他の方法を示す。処理ブロック９１０において、電力放電はローカルデバイスの第１バッテリから受電される。ローカルデバイスは、外部デバイスと通信接続し、電力を共有するよう構成される。ローカルデバイスは、ブロック９２０において、外部デバイスと電力制御情報を共有する。電力制御情報は、ローカルデバイスと外部デバイスとに関連する第１バッテリの充電状態、外部デバイスのバッテリ充電状態、ロードバランシングプランなどを含むものであってもよい。電力制御情報は、定期的に外部デバイスと通信されてもよい。制御可能な充電信号は、ブロック９３０において、ロードバランシングプランに従って電力制御情報に基づき生成される。ブロック９４０において、充電信号は、外部デバイスの１以上に送信される。充電信号は、外部電力コネクタ、ＵＳＢコネクタ、誘導電力充電器、ＷＲＥＬ、ＤＣ−ＤＣコンバータなどの１以上を介し送信されてもよい。
【００３６】
図１０は、外部デバイスが認証されている本発明の実施例の態様による電力共有コントローラを作動させる他の方法を示す。ブロック１０１０において、バッテリ状態は、ローカルデバイスに関連するバッテリについて決定される。当該状態は、出力電圧、電流引き込み、温度などのバッテリの物理的な測定結果を用いて決定されてもよい。
【００３７】
ブロック１０２０において、電力を共有することを所望する外部デバイスが認証される。認証は、公開鍵暗号化を用いて提供されてもよい。トークンが、他の共有される電力コントローラに自己を識別するため、モバイルデバイスにおいて共有電力コントローラによって利用される。トークンは、デバイスが身元を証明するため互いにわたすパスワード及び対称暗号鍵などの共有される秘密であってもよい。実施例において実現されうる他の認証技術は、秘密鍵（１つのデバイスしか知らない）及び関連する公開鍵を有する非対称暗号鍵を有し、それは公開鍵インフラストラクチャ（ＰＫＩ）によって発行される公開鍵証明書を通じて公的に入手可能である。当該分野において知られる他の認証機構がまた、各種実施例において利用されてもよい。
【００３８】
ブロック１０３０において、電力制御情報は少なくとも１つの認証された外部デバイスと通信される。電力制御情報は、接続及び認証されたデバイスのバッテリ状態情報と共に、ロードバランシングプロファイル及びプランを有してもよい。ブロック１０４０において、電力放電がローカルバッテリから受電される。ブロック１０５０において、制御可能な充電信号が、バッテリ状態及び電力制御情報に応答して、電力放電から生成される。ブロック１０６０において、充電信号は、認証された外部デバイスの少なくとも１つに送信される。
【００３９】
図１１は、本発明の実施例の態様による電力共有コントローラを作動させる他の方法を示す。ブロック１１１０において、ローカルバッテリのバッテリ状態が決定される。ブロック１１１２において、電力制御情報が、接続されているデバイス間で通信される。電力制御情報は、ローカルデバイス及び／又は外部デバイスからの他の電力情報と共にローカルバッテリのバッテリ状態を含むものであってもよい。ロードバランシングプランは、ブロック１１１５において、通信された電力制御情報を用いて構成され、ブロック１１２０において、接続されている外部デバイスに通信される。一部の実施例では、当該プランはローカルデバイスによって構成されてもよい。他の実施例では、当該プランは外部デバイスの１つによって構成されてもよい。更なる他の実施例では、当該プランはローカルデバイス及び／又は外部デバイスの１以上によって構成されてもよい。
【００４０】
ブロック１１３０において、電力放電信号がバッテリから受信される。図示されたブロック１１４０は、バッテリ状態、電力制御情報、ロードバランシングプラン、これらの組み合わせなどの少なくとも１つに応答して、１以上の制御可能な充電信号を生成する。ブロック１１５０において、１以上の充電信号は、ロードバランシングプランに従って対応する外部デバイスに送信される。
【００４１】
さらに、ローカルデバイスは、充電信号がロードバランシングプランに従って外部デバイスから第１バッテリに送信される場合、１以上の外部デバイスから発信された充電信号を電力バランシング処理の一部として受信してもよい。
【００４２】
各種実施例の一部は、非一時的な機械可読媒体に配置された命令を１以上のプロセッサが実行することによって部分的に実行されてもよい。プロセッサは、バッテリ状態、電力制御情報、これらの組み合わせの少なくとも１つに応答して、ロードバランシングプランに従って制御可能な充電回路を制御してもよい。
【００４３】
図１２は、一実施例によるプロセッサコア１２００を示す。プロセッサコア１２００は、マイクロプロセッサ、埋め込みプロセッサ、デジタル信号プロセッサ（ＤＳＰ）、ネットワークプロセッサ又はコードを実行する他のデバイスなどの何れかのタイプのプロセッサのコアであってもよい。図１２では、１つのみのプロセッサコア１２００しか示されていないが、処理要素は、図１２に示されるプロセッサコア１２００を複数含むものであってもよい。プロセッサコア１２００は、シングルスレッドコアであってもよく、あるいは、少なくとも１つの実施例についてコア毎に複数のハードウェアスレッドコンテクスト（又は“論理プロセッサ”）を含むという点で、マルチスレッド化されてもよい。
【００４４】
図１２はまた、プロセッサ１２００に接続されるメモリ１２７０を示す。メモリ１２７０は、当業者に知られるような又は利用可能であるような広範なメモリ（メモリ階層の各種レイヤを含む）の何れかであってもよい。メモリ１２７０は、プロセッサ１２００のコアによって実行される１以上のコード１２１３の命令を有してもよく、コード１２１３は、上述されたような論理構造１００（図１）を実現してもよい。プロセッサコア１２００は、コード１２１３により示されるプログラム命令シーケンスに従う。各命令は、フロントエンド部分１２１０に入り、１以上のデコーダ１２２０によって処理されてもよい。デコーダ１２２０は、それの出力として所定のフォーマットにより固定幅マイクロ演算などのマイクロ演算を生成し、又はオリジナルのコード命令を反映する他の命令、マイクロ命令又は制御信号を生成してもよい。図示されたフロントエンド１２１０はまた、レジスタリネーミングロジック１２２５及びスケジューリングロジック１２３０を有し、これらは、一般に実行用の変換命令に対応する処理をキューし、リソースを配分する。
【００４５】
実行ユニット１２５５−１〜１２５５−Ｎのセットを有する実行ロジック１２５０を含むプロセッサ１２００が示される。一部の実施例は、特定の機能又は機能セットに専用の複数の実行ユニットを有してもよい。他の実施例は、特定の機能を実行可能な１つ又は１つのみの実行ユニットを有してもよい。図示された実行ロジック１２５０は、コード命令により指定された処理を実行する。
【００４６】
コード命令により指定された処理の実行の完了後、バックエンドロジック１２６０は、コード１２１３の命令をリタイアする。一実施例では、プロセッサ１２００は、アウトオブオーダな命令を許容するが、インオーダな命令のリタイアメントを要求する。リタイアメントロジック１２６５は、当業者に知られるような各種形態をとりうる（リオーダバッファなど）。このように、プロセッサコア１２００は、コード１２１３の実行中、レジスタリネーミングロジック１２２により利用されるデコーダ、ハードウェアレジスタ及びテーブルと、実行ロジック１２５０により修正される何れかのレジスタ（図示せず）とによって生成される出力に少なくとも関して変換される。
【００４７】
図１２には図示されないが、処理要素は、プロセッサコア１２００を備えたチップ上に他の要素を含んでもよい。例えば、処理要素はプロセッサコア１２００と共にメモリ制御ロジックを有してもよい。処理要素は、Ｉ／Ｏ制御ロジックを有し、及び／又はメモリ制御ロジックに一体化されたＩ／Ｏ制御ロジックを有してもよい。処理要素はまた１以上のキャッシュを有してもよい。
【００４８】
図１３を参照して、本発明の実施例によるシステムの実施例１０００のブロック図が示される。図１３において、第１処理要素１３７０及び第２処理要素１３８０を有するマルチプロセッサシステム１３００が示される。２つの処理要素１３７０及び１３８０が示されるが、システム１３００の実施例はまたこのような処理要素を１つしか有さなくてもよいことが理解されるべきである。
【００４９】
システム１３００はポイント・ツー・ポイントインターコネクトシステムとして示され、第１処理要素１３７０及び第２処理要素１３８０はポイント・ツー・ポイントインターコネクト１３５０を介し接続される。図１３に示されるインターコネクトの何れか又は全てがポイント・ツー・ポイントインターコネクトでなくマルチドロップバスとして実現されてもよいことが理解されるべきである。
【００５０】
図１３に示されるように、各処理要素１３７０，１３８０は、第１及び第２プロセッサコアを含むマルチコアプロセッサであってもよい（すなわち、プロセッサコア１３７４ａ，１３７４ｂ及びプロセッサコア１３８４ａ，１３８４ｂ）。このようなコア１３７４，１３７４ｂ，１３８４ａ，１３８４ｂは、図１３に関して上述されたものと同様にして命令コードを実行するよう構成されてもよい。
【００５１】
各処理要素１３７０，１３８０は、少なくとも１つの共有キャッシュ１３６０を有してもよい。共有キャッシュ１３６０ａ，１３６０ｂはそれぞれ、コア１３７４ａ，１３７４ｂ及び１３８４ａ，１３８４ｂなどのプロセッサの１以上のコンポーネントによって用いられるデータ（命令など）を格納する。例えば、共有キャッシュは、プロセッサのコンポーネントによるより速いアクセスのため、メモリ１３３２，１３３４に格納されているデータをローカルにキャッシュしてもよい。１以上の実施例では、共有キャッシュは、レベル２（Ｌ２）、レベル３（Ｌ３）、レベル４（Ｌ４）若しくは他のキャッシュレベル、ラストレベルキャッシュ（ＬＬＣ）及び／又はこれらの組み合わせなどの１以上のミッドレベルキャッシュを有してもよい。
【００５２】
２つの処理要素１３７０，１３８０しか示されていないが、本発明の範囲はこれに限定されるものでないことが理解されるべきである。他の実施例では、１以上の更なる処理要素が与えられたプロセッサにあってもよい。あるいは、処理要素１３７０，１３８０の１以上は、アクセラレータやＦＰＧＡ（Ｆｉｅｌｄ  Ｐｒｏｇｒａｍｍａｂｌｅ  Ｇａｔｅ  Ａｒｒａｙ）などのプロセッサ以外の要素であってもよい。例えば、更なる処理要素は、第１プロセッサ１３７０と同じ更なるプロセッサ、第１プロセッサ１３７０と異質な若しくは非対称的な更なるプロセッサ、アクセラレータ（グラフィクスアクセラレータ又はデジタル信号処理（ＤＳＰ）ユニットなど）、ＦＰＧＡ又は他の何れかの処理要素を含むものであってもよい。アーキテクチャ、マイクロアーキテクチャ、熱、電力消費特性などを含む利点のメトリックの範囲に関して処理要素１３７０，１３８０の間に各種相違が存在しうる。これらの相違は、処理要素１３７０，１３８０の間の非対称性及び異質性として効果的に表すものであるかもしれない。少なくとも１つの実施例について、各種処理要素１３７０，１３８０が同一のダイパッケージに配置されてもよい。
【００５３】
第１処理要素１３７０は更に、メモリコントローラロジック（ＭＣ）１３７２とポイント・ツー・ポイント（Ｐ−Ｐ）インタフェース１３７６，１３７８とを有してもよい。同様に、第２処理要素１３８０は、ＭＣ１３８２とＰ−Ｐインタフェース１３８６，１３８８とを有してもよい。図６に示されるように、ＭＣ１３７２，１３８２は、プロセッサを各自のメモリ、すなわち、各プロセッサにローカルに付属されるメインメモリの一部であってもよいメモリ１３３２及び１３３４に接続する。ＭＣロジック１３７２，１３８２は処理要素１３７０，１３８０に一体化されるように示されているが、他の実施例では、ＭＣロジックは、一体化されるのでなく処理要素１３７０，１３８０の外部の別のロジックであってもよい。
【００５４】
第１処理要素１３７０及び第２処理要素１３８０はそれぞれ、Ｐ−Ｐインターコネクト１３７６，１３８６，１３８４を介しＩ／Ｏサブシステム１３９０に接続される。図１３に示されるように、Ｉ／Ｏサブシステム１３９０は、Ｐ−Ｐインタフェース１３９４，１３９８を有する。さらに、Ｉ／Ｏサブシステム１３９０は、Ｉ／Ｏサブシステム１３９０とハイパフォーマンスグラフィックエンジン１３３８とを接続するためのインタフェース１３９２を有する。一実施例では、バス１３４９は、グラフィックエンジン１３３８とＩ／Ｏサブシステム１３９０とを接続するのに利用されてもよい。あるいは、ポイント・ツー・ポイントインターコネクト１３３９がこれらのコンポーネントを接続してもよい。
【００５５】
次に、Ｉ／Ｏサブシステム１３９０は、インタフェース１３９６を介し第１バス１３１６に接続されてもよい。一実施例では、第１バス１３１６は、本発明の範囲はこれに限定されるものでないが、ＰＣＩ（Ｐｅｒｉｐｈｅｒａｌ  Ｃｏｍｐｏｎｅｎｔ  Ｉｎｔｅｒｃｏｎｎｅｃｔ）バス、又はＰＣＩ  Ｅｘｐｒｅｓｓバス若しくは他の第三世代Ｉ／Ｏインターコネクトバスであってもよい。
【００５６】
図１３に示されるように、バッテリ測定モジュール１３０（図１）及び／又は制御可能な充電回路１５０（図１）などの各種Ｉ／Ｏデバイス１３１４は、第１バス１３１６と第２バス１３１０とを接続するバスブリッジ１３１８と共に、第１バス１３１６に接続される。一実施例では、第２バス１３２０はローピンカウント（ＬＰＣ）バスであってもよい。一実施例では、例えば、キーボード／マウス１３１２、通信デバイス１３２６（次に、コンピュータネットワーク及び／又は７１０，７３０及び／又は７２０などの他のデバイスと通信可能な）、及びディスクドライブやコード１３３０を含む他のマスストレージデバイスなどのデータストレージユニット１３１８などを含む各種デバイスが、第２バス１３２０に接続されてもよい。当該コード１３３０は、上述された方法の１以上の実施例を実行するための命令を含むものであってもよい。従って、図示されたコード１３３０は、ロジックアーキテクチャ１００（図１）を実現してもよく、また、上述されるようにコード１２１３（図１２）に類似したものとすることができる。さらに、オーディオＩ／Ｏ１３２４は第２バス１３２０に接続されてもよい。
【００５７】
他の実施例が想定されることに留意されたい。例えば、図１３のポイント・ツー・ポイントアーキテクチャの代わりに、システムは、マルチドロップバス又は他の通信トポロジーを実現してもよい。また、図１３の要素は、図１３に示されるより多数又は少数の集積チップを用いてパーティションされてもよい。
【００５８】
従って、具体例は、電力信号を受信するための入力充電ポートと、前記電力信号から第１充電信号を生成するよう構成されるバッテリ充電器と、前記充電信号を受信し、複数の電子コンポーネントに電力供給するバッテリと、前記バッテリから電力放電を受電するためのバッテリ入力、前記電力放電から第２充電信号を生成する制御可能な電力回路、前記第２充電信号を１以上の外部デバイスに送るための充電出力、前記バッテリのバッテリ状態を決定するバッテリ測定モジュール、前記１以上の外部デバイスの少なくとも１つと電力制御情報を通信するための通信ポート、及び前記バッテリ状態と前記電力制御情報とを利用して前記制御可能な電力回路を制御するコントローラを有する電力共有コントローラとを有するシステムを含むものであってもよい。
【００５９】
さらに、前記システムの前記充電出力は、外部電力コネクタ、ＵＳＢコネクタ、誘導電力充電器及びＷＲＥＬ（Ｗｉｒｅｌｅｓｓ  Ｒｅｓｏｎａｎｔ  Ｅｎｅｒｇｙ  Ｌｉｎｋ）の１以上を含むものであってもよい。
【００６０】
さらに、前記システムの前記充電出力は、前記充電信号をＤＣ−ＤＣコンバータに送ってもよい。
【００６１】
さらに、前記システムの前記コントローラは、前記１以上の外部デバイスの少なくとも１つを認証してもよい。
【００６２】
さらに、前記システムの前記コントローラは、前記１以上の外部デバイスの少なくとも２つの間でロードをバランスさせてもよい。
【００６３】
さらに、前記システムの前記コントローラは、少なくとも１つのロードバランシングプロファイルを利用してもよい。
【００６４】
さらに、前記システムの前記充電出力と前記通信ポートとは一体化されてもよい。
【００６５】
さらに、前記システムの前記電力信号はＡＣ電源から導出され、前記コントローラは、少なくとも１つのロードバランシングプロファイルを利用して、前記１以上の外部デバイスの少なくとも２つの間でロードをバランスさせてもよい。
【００６６】
具体例はまた、ローカルデバイスの第１バッテリから電力放電を受電するためのバッテリ入力と、前記電力放電、前記第１バッテリの充電状態、１以上の外部デバイスの少なくとも１つのための１以上の第２バッテリの充電状態、及び前記ローカルデバイスと前記１以上の外部デバイスの少なくとも１つとに関連するロードバランシングプランに基づき充電信号を生成する制御可能な充電回路と、前記充電信号を前記１以上の外部デバイスの少なくとも１つに送るための充電出力とを有する装置を含むものであってもよい。
【００６７】
さらに、前記装置は、前記電力放電、前記第１バッテリの充電状態、前記１以上の第２バッテリの少なくとも１つの充電状態、及び前記ローカルデバイスと前記１以上の外部デバイスの少なくとも１つとに関連するロードバランシングプランに基づき前記制御可能な充電回路を制御するコントローラを更に有してもよい。
【００６８】
さらに、前記装置は、前記１以上の外部デバイスの少なくとも１つと電力制御情報を通信するための通信ポートを更に有し、前記電力制御情報は、前記第１バッテリの充電状態、前記１以上の第２バッテリの充電状態及び前記ロードバランシングプランの１以上を含む。
【００６９】
さらに、前記装置は、前記第１バッテリのバッテリ状態を決定するバッテリ測定モジュールを更に有してもよい。
【００７０】
さらに、前記装置の前記充電出力は、外部電力コネクタ、ＵＳＢコネクタ、誘導電力充電器、ＷＲＥＬ及びＤＣ−ＤＣコンバータの１以上を有してもよい。
【００７１】
さらに、前記装置の前記コントローラは更に、前記１以上の外部デバイスの少なくとも１つを認証してもよい。
【００７２】
さらに、前記装置の前記コントローラは、前記１以上の外部デバイスの少なくとも２つの間のロードをバランスさせてもよい。
【００７３】
さらに、前記装置の前記コントローラは、少なくとも１つのロードバランシングプロファイルを利用してもよい。
【００７４】
さらに、前記充電出力、前記バッテリ入力及び通信ポートの１以上は一体化されてもよい。
【００７５】
具体例はまた、ローカルデバイスの第１バッテリから電力放出を受電するステップと、前記電力放電、前記第１バッテリの充電状態、外部デバイスの第２バッテリの充電状態、及び前記ローカルデバイスと外部デバイスとに関連するロードバランシングプランに基づき制御可能な充電信号を生成するステップと、前記充電信号を前記外部デバイスに送るステップとを有する方法を含むものであってもよい。
【００７６】
さらに、前記方法は、前記外部デバイスと電力制御情報を共有するステップを更に有し、前記電力制御情報は、前記第１バッテリの充電状態、前記第２バッテリの充電状態及び前記ロードバランシングプランの１以上を含む。
【００７７】
さらに、前記方法の前記電力制御情報は、定期的に前記外部デバイスと通信されてもよい。
【００７８】
さらに、前記方法の前記充電信号は、外部電力コネクタ、ＵＳＢコネクタ、誘導電力充電器、ＷＲＥＬ及びＤＣ−ＤＣコンバータの１以上を介し送信されてもよい。
【００７９】
さらに、前記方法は、前記外部デバイスを認証するステップを更に有してもよい。
【００８０】
さらに、前記方法は、複数の制御可能な充電信号を生成するステップと、前記ロードバランシングプランに従って前記複数の充電信号を対応する複数の外部デバイスに送るステップとを更に有してもよい。
【００８１】
さらに、前記方法は、前記外部デバイスから充電信号を受信するステップと、前記ロードバランシングプランに従って前記外部デバイスから前記第１バッテリに前記充電信号を送るステップとを更に有してもよい。
【００８２】
具体例はまた、プロセッサにより実行される場合、上述した方法の何れか１つをローカルデバイスに実行させる命令セットを有する非一時的なコンピュータ可読媒体を含むものであってもよい。
【００８３】
各種実施例が上述されたが、それらは限定することなく具体例として提供されたことが理解されるべきである。趣旨及び範囲から逸脱することなく形態及び詳細に関する各種変更が可能であることは、当業者に明らかであろう。実際、上記説明を参照した後、当業者には他の実施例を実現する方法が明らかになるであろう。従って、本実施例は、上述した例示的な実施例の何れかによって限定されるべきでない。特に、説明のため、上記説明はモバイルデバイスの間で電力をバランスさせる具体例に着目したことに留意すべきである。しかしながら、当業者は、本発明の実施例が無停電電源などの非モバイルデバイスの間で電力をバランスさせるのに利用可能であることを認識するであろう。さらに、上記の具体例はバッテリ間の電力の伝送について説明する。しかしながら、当業者は、外部充電器、太陽電池回路などの他のデバイスがロードバランシング回路の一部として利用されてもよいことを認識するであろう。この場合、電源の１つがバッテリベースでなかったとしても、複数のデバイスを充電するプライオリティがあるかもしれない。
【００８４】
本明細書では、“ある”及び同様のフレーズは“少なくとも１つ”及び“１以上”として解釈されるべきである。本開示の“ある”実施例の参照は、必ずしも同じ実施例に対するものでない。
【００８５】
開示された実施例に説明される要素の多くは、モジュールとして実現されてもよい。モジュールは、規定された機能を実行し、他の要素との規定されたインタフェースを有する分離可能な要素としてここでは定義される。本開示において説明されるモジュールは、図８〜１１に関して説明される方法と共に、その全てが動作的に等価であるハードウェア、ハードウェアとソフトウェアとの組み合わせ、ファームウェア、ウェットウェア（すなわち、生物要素によるハードウェア）又はこれらの組み合わせにより実現されてもよい。例えば、モジュール及び／又は方法は、コンピュータ言語（Ｃ、Ｃ＋＋、Ｆｏｒｔｒａｎ、Ｊａｖａ（登録商標）、Ｂａｓｉｃ、Ｍａｔｌａｂなど）により記述されたソフトウェアルーチン、又はＳｉｍｕｌｉｎｋ、Ｓｔａｔｅｆｌｏｗ、ＧＮＵ、Ｏｃｔａｖｅ又はＬａｂＶＩＥＷ  ＭａｔｈＳｃｒｉｐｔなどのモデリング／シミュレーションプログラムと共にコンピュータハードウェアを用いて実現されてもよい。さらに、離散的又はプログラム可能なアナログ、デジタル及び／又は量子ハードウェアを搭載した物理的ハードウェアを用いてモジュールを実現することが可能である。プログラマブルハードウェアの具体例は、コンピュータ、マイクロコントローラ、マイクロプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ及びＣＰＬＤ（Ｃｏｍｐｌｅｘ  Ｐｒｏｇｒａｍｍａｂｌｅ  Ｌｏｇｉｃ  Ｄｅｖｉｃｅ）を含む。コンピュータ、マイクロコントローラ及びマイクロプロセッサは、アセンブリ、Ｃ、Ｃ＋＋などの言語を用いてプログラムされる。ＦＰＧＡ、ＡＳＩＣ及びＣＰＬＤはしばしば、プログラマブルデバイス上でより少ない機能を有する内部ハードウェアモジュールの間の接続を設定するＶＨＳＩＣハードウェア記述言語（ＶＨＤＬ）又はＶｅｒｉｌｏｇなどのハードウェア記述言語（ＨＤＬ）を用いてプログラムされる。最後に、上述した技術は、機能モジュールの結果を実現するため組み合わせて利用されてもよい。
【００８６】
一部の実施例は処理ハードウェアを利用してもよい。処理ハードウェアは、１以上のプロセッサ、コンピュータ装置、埋め込みシステム、マシーンなどを含むものであってもよい。処理ハードウェアは、命令を実行するよう構成されてもよい。当該命令は、機械可読媒体に格納されてもよい。一部の実施例によると、機械可読媒体（自動データ媒体など）は、自動検知デバイスによりアクセス可能な機械可読フォーマットによりデータを格納するよう構成される媒体であってもよい。機械可読媒体の具体例は、磁気ディスク、カード、テープ、ドラム、パンチカード、紙テープ、光ディスク、バーコード、磁気インク文字などを含む。
【００８７】
さらに、何れかの機能及び／又は効果をハイライトする何れの図面も説明のためだけに提供されていることが理解されるべきである。開示されたアーキテクチャは、図示された以外の方法により利用されるように十分フレキシブルかつ設定可能である。例えば、何れかのフローチャートにリストされるステップは、一部の実施例では、リオーダ又は任意的にのみ利用されてもよい。
【００８８】
さらに、開示の概要の目的は、米国特許商標庁及び公衆、特に特許や法律用語又は専門用語に精通しない当該分野の科学者、技術者及び実施者が本出願の技術的開示の性質及び本質をざっと読むことから迅速に決定することを可能にするためのものである。開示の概要は、範囲に関する限定であることを意図するものでない。
【００８９】
各種実施例は、ハードウェア要素、ソフトウェア要素又は双方の組み合わせを用いて実現されてもよい。ハードウェア要素の具体例は、プロセッサ、マイクロプロセッサ、回路、回路素子（トランジスタ、抵抗、キャパシタ、インダクタなど）、集積回路、ＡＳＩＣ、ＰＬＤ（Ｐｒｏｇｒａｍｍａｂｌｅ  Ｌｏｇｉｃ  Ｄｅｖｉｃｅ）、デジタル信号プロセッサ（ＤＳＰ）、ＦＰＧＡ、ロジックゲート、レジスタ、半導体デバイス、チップ、マイクロチップ、チップセットなどを含むものであってもよい。ソフトウェアの具体例は、ソフトウェアコンポーネント、プログラム、アプリケーション、コンピュータプログラム、アプリケーションプログラム、システムプログラム、マシーンプログラム、オペレーティングシステムソフトウェア、ミドルウェア、ファームウェア、ソフトウェアモジュール、ルーチン、サブルーチン、ファンクション、メソッド、プロシージャ、ソフトウェアインタフェース、ＡＰＩ（Ａｐｐｌｉｃａｔｉｏｎ  Ｐｒｏｇｒａｍ  Ｉｎｔｅｒｆａｃｅ）、命令セット、計算コード、コンピュータコード、コードセグメント、コンピュータコードセグメント、ワード、値、シンボル又はこれらの何れかの組み合わせを含むものであってもよい。実施例がハードウェア要素及び／又はソフトウェア要素を用いて実現されるかの決定は、所望の計算レート、電力レベル、熱耐性、処理サイクルバジェット、入力データレート、出力データレート、メモリリソース、データバススピード及び他の設計若しくはパフォーマンス制約などの何れかの個数のファクタに従って可変であってもよい。
【００９０】
少なくとも１つの実施例の１以上の態様は、マシーンによって読み出されると、当該マシーンにここに説明された技術を実行するようロジックを生成させるプロセッサ内の各種ロジックを表す機械可読媒体に格納される典型的な命令によって実現されてもよい。“ＩＰコア”として知られるこのような表現は、有形な機械可読媒体に格納され、ロジック又はプロセッサを実際に生成する生成マシーンにロードするため、各種カスタマ又は製造工場に供給されてもよい。
【００９１】
本発明の実施例は、全てのタイプの半導体集積回路（“ＩＣ”）チップと共に利用するのに適用可能である。これらのＩＣチップの具体例は、限定することなく、プロセッサ、コントローラ、チップセットコンポーネント、ＰＬＡ（Ｐｒｏｇｒａｍｍａｂｌｅ  Ｌｏｇｉｃ  Ａｒｒａｙ）、メモリチップ、ネットワークチップなどを含む。さらに、図面の一部では、信号導線はラインにより表される。一部は、より多くの構成要素となる信号パスを示すため異なるかもしれず、複数の構成要素となる信号パスを示すため番号ラベルを有し、及び／又はプライマリ情報フロー方向を示すため１以上のエンドにおいて矢印を有してもよい。しかしながら、これは限定的な方法により解釈されるべきでない。むしろ、このような追加された詳細は、回路のより容易な理解を実現するため、１以上の実施例と共に利用されてもよい。何れか表現された信号ラインは、更なる情報を有するか否かに関わらず、複数の方向に移動してもよく、差動ペア、光ファイバライン及び／又はシングルエンドラインにより実現されるデジタル又はアナログラインなど、何れか適切なタイプの信号方式により実現されてもよい１以上の信号を実際に有してもよい。
【００９２】
本発明の実施例はこれに限定されるものでないが、一例となるサイズ／モデル／値／範囲が与えられてもよい。製造技術（フォトリソグラフィなど）が経時的に成熟するに従って、より小さなサイズのデバイスが製造可能になることが期待される。さらに、ＩＣチップ及び他のコンポーネントとの周知の電力／グラウンド接続は、図示及び説明の簡単化のため、また本発明の実施例の特定の態様を不明瞭にしないため、図中に図示されてもよいし、又はされなくてもよい。さらに、本発明の実施例を不明瞭にすることを回避するため、また、ブロック図の構成の実現に関する詳細は実施例が実現されるプラットフォームに大きく依存する、すなわち、このような詳細は当業者の範囲内で十分であるという事実に関して、構成はブロック図により示されてもよい。本発明の実施例を説明するため、具体的な詳細（回路など）が与えられる場合、本発明の実施例はこれら具体的な詳細なく、又はこれらの変形によって実施可能であることが、当業者に明らかであるべきである。本説明は、限定的でなく例示的なものとしてみなされるべきである。
【００９３】
一部の実施例は、例えば、マシーンにより実行された場合、当該マシーンに実施例による方法及び／又は処理を実行させる命令又は命令セットを格納可能な機械又は有形なコンピュータ可読媒体又は物などを用いて実現されてもよい。このようなマシーンは、例えば、何れか適切な処理プラットフォーム、計算プラットフォーム、計算デバイス、処理デバイス、計算システム、処理システム、コンピュータ、プロセッサなどを含み、ハードウェア及び／又はソフトウェアの何れか適切な組み合わせを用いて実現されてもよい。機械可読媒体又は物は、例えば、メモリ、着脱可能若しくは着脱不可な媒体、消去可能若しくは消去不可な媒体、書き込み可能若しくは書き換え可能な媒体、デジタル若しくはアナログ媒体、ハードディスク、フロッピー（登録商標）ディスク、ＣＤ−ＲＯＭ、ＣＤ−Ｒ、ＣＤ−ＲＷ、光ディスク、磁気媒体、光磁気媒体、着脱可能なメモリカード若しくはディスク、各種ＤＶＤ、テープ、カセットなどの何れか適切なタイプのメモリユニット、メモリデバイス、記憶物、記憶媒体、ストレージデバイス、格納物、格納媒体及び／又は格納ユニットを含むものであってもよい。命令は、何れか適切なハイレベル、ローレベル、オブジェクト指向、ビジュアル、コンパイル及び／又はインタープリットプログラミング言語を用いて実現されるソースコード、コンパイルコード、インタープリットコード、実行可能コード、スタティックコード、ダイナミックコード、暗号化コードなどの何れか適切なタイプのコードを含むものであってもよい。
【００９４】
特段の断りがない場合、“処理”、“計算”、“算出”、“決定”などの用語は、計算システムのレジスタ及び／又はメモリ内の物理量（電子など）として表現されるデータを、計算システムのメモリ、レジスタ又は他の情報格納、送信若しくは表示デバイス内の物理量として同様に表現された他のデータに操作及び／又は変換するコンピュータ、計算システム又は同様の電子計算デバイスのアクション及び／又はプロセスを表すことが理解されてもよい。
【００９５】
“接続”という用語は、当該コンポーネント間の何れかのタイプの直接的又は間接的関係を表すのにここでは用いられ、電気的、機械的、流体的、光学的、電磁的、電気機械的又は他の接続に適用されてもよい。さらに、“第１”、“第２”などの用語は、説明を容易にするためだけにここでは用いられ、特段の断りがない場合、何れか特定の時間的意味を有するものでない。
【００９６】
当業者は、上記説明から本発明の実施例の広範な技術が各種形態により実現可能であることを理解するであろう。従って、本発明の実施例は特定の具体例と共に説明されたが、図面、明細書及び以下の請求項を調べることによって他の修正が当業者に明らかになるため、本発明の実施例の真の範囲はこれに限定されるべきでない。
【図１】
2015532087.tif 000003
【図２】
2015532087.tif 000004
【図３】
2015532087.tif 000005
【図４】
2015532087.tif 000006
【図５】
2015532087.tif 000007
【図６】
2015532087.tif 000008
【図７】
2015532087.tif 000009
【図８】
2015532087.tif 000010
【図９】
2015532087.tif 000011
【図１０】
2015532087.tif 000012
【図１１】
2015532087.tif 000013
【図１２】
2015532087.tif 000014
【図１３】
2015532087.tif 000015
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
電力信号を受信するための入力充電ポートと、
前記電力信号から第１充電信号を生成するよう構成されるバッテリ充電器と、
前記充電信号を受信し、複数の電子コンポーネントに電力供給するバッテリと、
前記バッテリから電力放電を受電するためのバッテリ入力、前記電力放電から第２充電信号を生成する制御可能な電力回路、前記第２充電信号を１以上の外部デバイスに送るための充電出力、前記バッテリのバッテリ状態を決定するバッテリ測定モジュール、前記１以上の外部デバイスの少なくとも１つと電力制御情報を通信するための通信ポート、及び前記バッテリ状態と前記電力制御情報とを利用して前記制御可能な電力回路を制御するコントローラを有する電力共有コントローラと、
を有するシステム。
【請求項２】
前記充電出力は、外部電力コネクタ、ＵＳＢコネクタ、誘導電力充電器及びＷＲＥＬ（Ｗｉｒｅｌｅｓｓ  Ｒｅｓｏｎａｎｔ  Ｅｎｅｒｇｙ  Ｌｉｎｋ）の１以上を含む、請求項１記載のシステム。
【請求項３】
前記充電出力は、前記充電信号をＤＣ−ＤＣコンバータに送る、請求項１記載のシステム。
【請求項４】
前記コントローラは、前記１以上の外部デバイスの少なくとも１つを認証する、請求項１記載のシステム。
【請求項５】
前記コントローラは、前記１以上の外部デバイスの少なくとも２つの間でロードをバランスさせる、請求項１記載のシステム。
【請求項６】
前記コントローラは、少なくとも１つのロードバランシングプロファイルを利用する、請求項８記載のシステム。
【請求項７】
前記充電出力と前記通信ポートとは一体化される、請求項１記載のシステム。
【請求項８】
前記電力信号はＡＣ電源から導出され、
前記コントローラは、少なくとも１つのロードバランシングプロファイルを利用して、前記１以上の外部デバイスの少なくとも２つの間でロードをバランスさせる、請求項１乃至７何れか一項記載のシステム。
【請求項９】
ローカルデバイスの第１バッテリから電力放電を受電するためのバッテリ入力と、
前記電力放電、前記第１バッテリの充電状態、１以上の外部デバイスの少なくとも１つのための１以上の第２バッテリの充電状態、及び前記ローカルデバイスと前記１以上の外部デバイスの少なくとも１つとに関連するロードバランシングプランに基づき充電信号を生成する制御可能な充電回路と、
前記充電信号を前記１以上の外部デバイスの少なくとも１つに送るための充電出力と、
を有する装置。
【請求項１０】
前記電力放電、前記第１バッテリの充電状態、前記１以上の第２バッテリの少なくとも１つの充電状態、及び前記ローカルデバイスと前記１以上の外部デバイスの少なくとも１つとに関連するロードバランシングプランに基づき前記制御可能な充電回路を制御するコントローラを更に有する、請求項９記載の装置。
【請求項１１】
前記１以上の外部デバイスの少なくとも１つと電力制御情報を通信するための通信ポートを更に有し、
前記電力制御情報は、前記第１バッテリの充電状態、前記１以上の第２バッテリの充電状態及び前記ロードバランシングプランの１以上を含む、請求項９記載の装置。
【請求項１２】
前記第１バッテリのバッテリ状態を決定するバッテリ測定モジュールを更に有する、請求項９記載の装置。
【請求項１３】
前記充電出力は、外部電力コネクタ、ＵＳＢコネクタ、誘導電力充電器、ＷＲＥＬ及びＤＣ−ＤＣコンバータの１以上を有する、請求項９記載の装置。
【請求項１４】
前記コントローラは更に、前記１以上の外部デバイスの少なくとも１つを認証する、請求項１０記載の装置。
【請求項１５】
前記コントローラは、前記１以上の外部デバイスの少なくとも２つの間のロードをバランスさせる、請求項１０記載の装置。
【請求項１６】
前記コントローラは、少なくとも１つのロードバランシングプロファイルを利用する、請求項１０記載の装置。
【請求項１７】
前記充電出力、前記バッテリ入力及び通信ポートの１以上は一体化される、請求項９乃至１６何れか一項記載の装置。
【請求項１８】
ローカルデバイスの第１バッテリから電力放出を受電するステップと、
前記電力放電、前記第１バッテリの充電状態、外部デバイスの第２バッテリの充電状態、及び前記ローカルデバイスと外部デバイスとに関連するロードバランシングプランに基づき制御可能な充電信号を生成するステップと、
前記充電信号を前記外部デバイスに送るステップと、
を有する方法。
【請求項１９】
前記外部デバイスと電力制御情報を共有するステップを更に有し、
前記電力制御情報は、前記第１バッテリの充電状態、前記第２バッテリの充電状態及び前記ロードバランシングプランの１以上を含む、請求項１８記載の方法。
【請求項２０】
前記電力制御情報は、定期的に前記外部デバイスと通信される、請求項１９記載の方法。
【請求項２１】
前記充電信号は、外部電力コネクタ、ＵＳＢコネクタ、誘導電力充電器、ＷＲＥＬ及びＤＣ−ＤＣコンバータの１以上を介し送信される、請求項１８記載の方法。
【請求項２２】
前記外部デバイスを認証するステップを更に有する、請求項１８記載の方法。
【請求項２３】
複数の制御可能な充電信号を生成するステップと、
前記ロードバランシングプランに従って前記複数の充電信号を対応する複数の外部デバイスに送るステップと、
を更に有する、請求項１８乃至２２何れか一項記載の方法。
【請求項２４】
前記外部デバイスから充電信号を受信するステップと、
前記ロードバランシングプランに従って前記外部デバイスから前記第１バッテリに前記充電信号を送るステップと、
を更に有する、請求項１８乃至２２何れか一項記載の方法。
【請求項２５】
プロセッサにより実行される場合、
ローカルデバイスの第１バッテリから電力放出を受電するステップと、
前記電力放電、前記第１バッテリの充電状態、外部デバイスの第２バッテリの充電状態、及び前記ローカルデバイスと外部デバイスとに関連するロードバランシングプランに基づき制御可能な充電信号を生成するステップと、
前記充電信号を前記外部デバイスに送るステップと、
前記ローカルデバイスに実行させる命令セットを有する非一時的なコンピュータ可読媒体。
【請求項２６】
前記命令セットは、実行される場合、電力制御情報を前記外部デバイスと通信するステップを前記ローカルデバイスに実行させ、
前記電力制御情報は、前記第１バッテリの充電状態、前記第２バッテリの充電状態及び前記ロードバランシングプランの１以上を含む、請求項２５記載の媒体。
【請求項２７】
前記電力制御情報は、定期的に前記外部デバイスと通信される、請求項２６記載の媒体。
【請求項２８】
前記充電信号は、外部電力コネクタ、ＵＳＢコネクタ、誘導電力充電器、ＷＲＥＬ及びＤＣ−ＤＣコンバータの１以上を介し送信される、請求項２５記載の媒体。
【請求項２９】
前記命令セットは、実行される場合、前記外部デバイスを認証するステップを前記ローカルデバイスに実行させる、請求項２５記載の媒体。
【請求項３０】
前記命令セットは、実行される場合、
複数の制御可能な充電信号を生成するステップと、
前記ロードバランシングプランに従って前記複数の充電信号を対応する複数の外部デバイスに送るステップと、
を前記ローカルデバイスに実行させる、請求項２５乃至２９何れか一項記載の媒体。
【請求項３１】
前記命令セットは、実行される場合、
前記外部デバイスから充電信号を受信するステップと、
前記ロードバランシングプランに従って前記外部デバイスから前記第１バッテリに前記充電信号を送るステップと、
を前記ローカルデバイスに実行させる、請求項２５乃至２９何れか一項記載の媒体。
【国際調査報告】
2015532087.tif 000016
2015532087.tif 000017